(57)【要約】      （修正有）【課題】従来より上下方向でコンパクトにすることが可能なカードホルダーを提供する。【解決手段】本発明のカードホルダー３０は、コンテナの外側面に重ねられる後側対向板４０と、後側対向板４０を間に挟んでコンテナの外側面に重ねられる前側対向板３５とを備えて、それら前側対向板３５及び後側対向板４０の間で印字カードを狭持する。また、後側対向板４０のうち印字カードに覆われる部分には、ＩＣタグ９０を収容可能なタグ収容部３０Ｓが設けられ、前側対向板３５及びタグ収容部３０Ｓには、印字カードを外した状態でＩＣタグ９０のワイヤーアンテナを露出させるためのアンテナ露出窓４０Ｂがそれぞれ形成されている。【選択図】図２
2010163186.tif 000002
【特許請求の範囲】
【請求項１】
荷物を搬送するための搬送器具の外側面に重ねた状態に固定されると共に、前記荷物の情報が印字された印字カードと前記荷物又は前記搬送器具の情報を有しかつ前記印字カードより小さいカード形のＩＣタグとを保持可能な樹脂製のカードホルダーであって、
前記搬送器具の外側面に重ねられる後側対向板と、
前記後側対向板を間に挟んで前記搬送器具の外側面に重ねられる前側対向板と、
前記前側対向板及び前記後側対向板の下端部同士を連結する下端連結壁とを備えて、前記前側対向板及び前記後側対向板の間で前記印字カードを狭持可能とすると共に、前記後側対向板のうち前記印字カードに覆われる部分に、前記ＩＣタグを収容可能なタグ収容部を設けたことを特徴とするカードホルダー。
【請求項２】
、前記前側対向板及び前記タグ収容部に、前記印字カードを外した状態で前記ＩＣタグのアンテナ部を露出させることが可能なアンテナ露出部を設けたことを特徴とする請求項１に記載のカードホルダー。
【請求項３】
前記タグ収容部は、前記後側対向板のうち前記搬送器具の外側面と対向する後面に配置され、そのタグ収容部には、前記後側対向板から後方に突出し、前記ＩＣタグを全側方から位置決めするタグ側方位置決突部と、前記タグ側方位置決突部のうち前記ＩＣタグを挟んで対向した１対の対向面から互いに接近する側に突出し、前記後側対向板との間で前記ＩＣタグの１対の外縁部を狭持可能なタグ係止片と、前記後側対向板に貫通形成された前記アンテナ露出部としてのアンテナ露出窓とが備えられ、
前記ＩＣタグを、その一端側から前記後側対向板と前記タグ係止片との間に挿入して前記タグ収容部に収容可能としたことを特徴とする請求項２に記載のカードホルダー。
【請求項４】
前記アンテナ露出窓の１対の対向面に連結されて、前記ＩＣタグのうちＩＣチップの周辺部分に突き合わされる環状保護壁を備えたことを特徴とする請求項３に記載のカードホルダー。
【請求項５】
前記後側対向板から突出して前記ＩＣタグに部分的に当接することで、前記ＩＣタグ全体を前記後側対向板から浮かせた状態に保持するフローチングリブを備えたことを特徴とする請求項１乃至４の何れかに記載のカードホルダー。
【発明の詳細な説明】
【技術分野】
【０００１】
本発明は、搬送器具の外側面に重ねた状態に固定され、印字カードとＩＣタグとを保持可能な樹脂製のカードホルダーに関する。
【背景技術】
【０００２】
従来、この種のカードホルダーは、ＩＣタグを収容可能なタグ収容ケースからベース板を垂下し、そのベース板の下端部から上方に延びた可撓片とベース板との間で印字カードを挟持する構造になっていた（例えば、非特許文献１参照）。
【先行技術文献】
【非特許文献】
【０００３】
意匠公報  第１３０２５１９号
【発明の概要】
【発明が解決しようとする課題】
【０００４】
しかしながら、上記した従来のカードホルダーは、ＩＣタグを保持する部分（タグ収容ケース）と、印字カードを保持する部分（可撓片及びベース）とが上下に並んで上下方向に大きくなるため、カードホルダー取り付け用のスペースを、搬送器具の外側面に広く確保しなければならないという問題があった。
【０００５】
本発明は、上記事情に鑑みてなされたもので、従来より上下方向でコンパクトにすることが可能なカードホルダーの提供を目的とする。
【課題を解決するための手段】
【０００６】
上記目的を達成するためになされた請求項１の発明に係るカードホルダーは、荷物を搬送するための搬送器具の外側面に重ねた状態に固定されると共に、荷物の情報が印字された印字カードと荷物又は搬送器具の情報を有しかつ印字カードより小さいカード形のＩＣタグとを保持可能な樹脂製のカードホルダーであって、搬送器具の外側面に重ねられる後側対向板と、後側対向板を間に挟んで搬送器具の外側面に重ねられる前側対向板と、前側対向板及び後側対向板の下端部同士を連結する下端連結壁とを備えて、前側対向板及び後側対向板の間で印字カードを狭持可能とすると共に、後側対向板のうち印字カードに覆われる部分に、ＩＣタグを収容可能なタグ収容部を設けたところに特徴を有する。
【０００７】
請求項２の発明は、請求項１に記載のカードホルダーにおいて、前側対向板及びタグ収容部に、印字カードを外した状態でＩＣタグのアンテナ部を露出させることが可能なアンテナ露出部を設けたところに特徴を有する。
【０００８】
請求項３の発明は、請求項２に記載のカードホルダーにおいて、タグ収容部は、後側対向板のうち搬送器具の外側面と対向する後面に配置され、そのタグ収容部には、後側対向板から後方に突出し、ＩＣタグを全側方から位置決めするタグ側方位置決突部と、タグ側方位置決突部のうちＩＣタグを挟んで対向した１対の対向面から互いに接近する側に突出し、後側対向板との間でＩＣタグの１対の外縁部を狭持可能なタグ係止片と、後側対向板に貫通形成されたアンテナ露出部としてのアンテナ露出窓とが備えられ、ＩＣタグを、その一端側から後側対向板とタグ係止片との間に挿入してタグ収容部に収容可能としたところに特徴を有する。
【０００９】
請求項４の発明は、請求項３に記載のカードホルダーにおいて、アンテナ露出窓の１対の対向面に連結されて、ＩＣタグのうちＩＣチップの周辺部分に突き合わされる環状保護壁を備えたところに特徴を有する。
【００１０】
請求項５の発明は、請求項１乃至４の何れかに記載のカードホルダーにおいて、後側対向板から突出してＩＣタグに部分的に当接することで、ＩＣタグ全体を後側対向板から浮かせた状態に保持するフローチングリブを備えたところに特徴を有する。
【発明の効果】
【００１１】
［請求項１の発明］
請求項１のカードホルダーでは、前側対向板と後側対向板の間に印字カードが挟まれて保持され、その後側対向板のうち印字カードに覆われる部分にタグ収容部が収容されて保持される。即ち、本発明のカードホルダーでは、印字カードを保持する部分と、ＩＣタグを保持する部分とが、共に搬送器具の外側面に重ねて配置され、これにより従来より上下方向でコンパクトにすることができる。
【００１２】
［請求項２の発明］
請求項２のカードホルダーの構成によれば、前側対向板及びタグ収容部には、印字カードを外した状態でＩＣタグのアンテナ部を露出させるアンテナ露出部が設けられているので、カードホルダーによる無線妨害が抑えられ、ＩＣタグにて良好な無線通信を行うことができる。なお、印字カードによる無線妨害が問題になる場合には、印字カードをカードホルダーから外した状態でＩＣタグにて無線通信を行えばよく、印字カードによる無線妨害が問題にならない場合には、印字カードをカードホルダーに保持した状態でＩＣタグにて無線通信を行ってもよい。また、ＩＣタグに水が付着してもアンテナ露出部によりＩＣタグを速やかに乾燥させることができ、無線妨害を回避することができる。
【００１３】
［請求項３の発明］
請求項３のカードホルダーでは、本発明においてタグ収容部にＩＣタグを収容するには、ＩＣタグをその一端側から後側対向板とタグ係止片との間に挿入すればよい。すると、その挿入過程で、ＩＣタグの一端側が後側対向板とタグ係止片との間に挟まれると共に、他端側がタグ側方位置決突部に乗り上がって、ＩＣタグ又は後側対向板の一部が弾性変形する。そして、ＩＣタグがタグ収容部における正規位置に収まると、ＩＣタグ又は後側対向板が弾性変形から復元し、ＩＣタグがタグ側方位置決突部によって全側方から位置決めされ、タグ収容部内に保持される。
【００１４】
このように、タグ収容部が後側対向板のうち搬送器具の外側面と対向する後面に配置され、後側からＩＣタグが収容されるので、ＩＣタグをタグ収容部に収容してからカードホルダーを搬送器具に固定すると、そのカードホルダーを搬送器具から外さない限り、ＩＣタグをタグ収容部から取り出すことができなくなる。これにより、印字カードと共に誤ってＩＣタグをカードホルダーから取り外すような事態を防ぐことができる。また、タグ収容部は、後側対向板の後面と搬送器具の外側面との間に配置されるので、タグ収容部を後側対向板の前面に配置した場合よりＩＣタグの保護が厚くなる。
【００１５】
［請求項４の発明］
請求項４のカードホルダーでは、後側対向板におけるアンテナ露出窓の内側に備えた環状保護壁が、ＩＣタグのうちＩＣチップの周辺部分に突き合わされているので、その環状保護壁により異物がＩＣチップに当接することを防ぐことができると共に、環状保護壁自体がＩＣチップに当接することも防がれる、
【００１６】
［請求項５の発明］
請求項５のカードホルダーでは、後側対向板から突出したフローチングリブが、ＩＣタグに部分的に当接して、ＩＣタグ全体が後側対向板から浮いた状態に保持される。ここで、仮にＩＣタグ全体が後側対向板に当接していると、毛細管現象によってＩＣタグと後側対向板との隙間の広い範囲に水が溜まり、無線通信が妨げられるという事態が生じるが、本発明の構成によれば、ＩＣタグ全体が後側対向板から浮いた状態に保持されて水はけがよくなるので、上記事態を回避することができ、良好な無線通信が可能になる。
【図面の簡単な説明】
【００１７】
【図１】本発明の一実施形態に係るカードホルダーの前側斜視図
【図２】カードホルダーの後側斜視図
【図３】カードホルダーの側面図
【図４】（Ａ）ＩＣタグを保持したカードホルダーの前側斜視図、（Ｂ）ＩＣタグを保持したカードホルダーの後側斜視図
【図５】コンテナに固定されたカードホルダーの斜視図
【図６】（Ａ）コンテナに固定され、ＩＣタグを保持したカードホルダーの斜視図、（Ｂ）コンテナに固定され、印字カードを保持したカードホルダーの斜視図
【図７】カードホルダーの側断面図
【図８】パレットに固定されたカードホルダーの斜視図
【発明を実施するための形態】
【００１８】
［第１実施形態］
以下、本発明の一実施形態を図１〜図７に基づいて説明する。本実施形態のカードホルダー３０は、連結ベース板３１から前側対向板３５及び後側対向板４０を上方に起立させて対向配置した構造になっている。連結ベース板３１は、本発明の「下端連結壁」に相当し、帯板状をなして横方向に延び、その板厚方向は鉛直方向と平行になっている。以下、連結ベース板３１の幅方向を前後方向といい、その連結ベース板３１の幅方向の一端側を前側、他端側を後側ということとする。
【００１９】
連結ベース板３１には、長手方向における３カ所に上方膨出部３４がそれぞれ設けられている。これら３つの上方膨出部３４のうち中央の上方膨出部３４は、連結ベース板３１を前方から見て左寄りに配置され、その中央の上方膨出部３４に対して左右の上方膨出部３４，３４が同一間隔となるように配置されている。即ち、上方膨出部３４群全体が、例えば、カードホルダー３０の前方から見て連結ベース板３１に対して左側に寄せて配置されている。
【００２０】
各上方膨出部３４は、連結ベース板３１の一部を全体に対して僅かに上方に平行移動させるように湾曲させた構造になっている。また、図２に示すように、各上方膨出部３４は、連結ベース板３１の幅方向で略半分の大きさをなしている。さらに、連結ベース板３１のうち各上方膨出部３４の後側には、それぞれ切り欠き３１Ｋが形成されている。そして、連結ベース板３１のうち隣り合った切り欠き３１Ｋ，３１Ｋの間に残された部位が、後方に向かって突出した１対の後方突片３３，３３になっている。
【００２１】
連結ベース板３１の下面には、１対の下面係止突起３２，３２が突出形成されている。図３に示すように、各下面係止突起３２は、連結ベース板３１の長手方向の一端側から見ると楔形状になっている。そして、下面係止突起３２の前側部分は連結ベース板３１の下面と直行した係止面３２Ａをなし、下面係止突起３２の後側部分は傾斜面３２Ｂになっている。
【００２２】
前側対向板３５は、連結ベース板３１の上面における前端寄り位置から立ち上がり、上方に向かうに従って後側に向かうように鉛直方向に対して僅かに傾斜している。また、前側対向板３５は、図１に示すように、連結ベース板３１の左右両端寄り位置に配置された１対の主板部３５Ｘ，３５Ｙにおける上下方向の中間部を横長の連絡板部３５Ｚにて連絡した形状になっている。そして、前側対向板３５のうち両主板部３５Ｘ，３５Ｙと連絡板部３５Ｚと連結ベース板３１によって囲まれた部分が、本発明の「アンテナ露出部」に相当するアンテナ露出窓３５Ａになっている。なお、連絡板部３５Ｚより上方における両主板部３５Ｘ，３５Ｙ同士の間隔は、アンテナ露出窓３５Ａの横幅より狭くなっている。
【００２３】
また、前側対向板３５全体は、例えば、カードホルダー３０の前方から見て連結ベース板３１に対して左側に寄せて配置され、アンテナ露出窓３５Ａの横方向における中央に、前記した３つの上方膨出部３４における中央の上方膨出部３４が位置している。なお、前から見て右側に位置した一方の主板部３５Ｙの外側の側縁部は、下端部が末広がり状に右側に広がった形状になっている。
【００２４】
前側対向板３５の外縁部全体には、縁部補強リブ３５Ｌが前方に向かって突出形成されている。また、前側対向板３５のうちアンテナ露出窓３５Ａの開口上縁部とその開口上縁部の両端角部にも、同様の縁部補強リブ３５Ｌが形成されている。さらに、前側対向板３５全体の上縁部は全体に対して前側に屈曲している。これにより、後述する印字カード９５を前側対向板３５と後側対向板４０との間にスムーズに挿入することができる。
【００２５】
図２に示すように、後側対向板４０は、連結ベース板３１のうち前記した３つの切り欠き３１Ｋ内にそれぞれ配置された３つのヒンジ部４０Ｈで連結されている。詳細には、カードホルダー３０は、成形金型にて成形された直後は、連結ベース板３１の板厚方向で前側対向板３５と後側対向板４０とが連結ベース板３１を間に挟んで並んだ状態になっている。そして、その成形後に後側対向板４０が、連結ベース板３１に対してヒンジ部４０Ｈを中心にして略１８０度、折り返されて、後側対向板４０と前側対向板３５とが対向配置された状態になる。また、各ヒンジ部４０Ｈは、連結ベース板３１のうち上方膨出部３４の後端面の下端縁に繋がっている。そして、後側対向板４０を曲げ起こすと、後側対向板４０のうちヒンジ部４０Ｈ寄りの前面が、上方膨出部３４の後面に当接して後側対向板４０が連結ベース板３１に対して一定姿勢に位置決めされる。また、後側対向板４０のうち隣り合ったヒンジ部４０Ｈ，４０Ｈの間には、後側対向板４０を曲げ起こす際に１対の後方突片３３，３３を通過させるための下端窓４０Ｄ，４０Ｄが形成されている。
【００２６】
後側対向板４０は、前側対向板３５より上方に大きく、前側対向板３５より横方向で小さくなっている。また、図３に示すように、後側対向板４０のうち上下方向の略中央には、横方向全体に延びた折り曲げ部４０Ｋが備えられ、後側対向板４０の上端部が下端部に対して僅かに後側に折れ曲がっている。なお、折り曲げ部４０Ｋは、前側対向板３５のうち連絡板部３５Ｚの上縁部と略同一の高さに位置している。
【００２７】
後側対向板４０のうち折り曲げ部４０Ｋより上側部分には、１対の矩形窓４０Ａ，４０Ａが横並びに形成されている。なお、各矩形窓４０Ａは、横長の長方形状をなし、その角部は丸みを帯びている。
【００２８】
図２に示すように、後側対向板４０の後面のうち折り曲げ部４０Ｋより下側部分には、枠形突条４１が設けられている。枠形突条４１は、後側対向板４０の後面から突出した突条を横長の長方形に配置してなる。詳細には、枠形突条４１の上辺部分を構成する突条は、矩形窓４０Ａの下縁部に位置し、枠形突条４１の下辺部分を構成する突条は、下端窓４０Ｄの上縁部に位置している。また、枠形突条４１の横方向の両端部の両側辺は、後側対向板４０の横方向の両端寄り位置に位置している。
【００２９】
枠形突条４１の下辺部分を構成する突条は、一端部が枠形突条４１の一側辺より外側に突出し、その一端突出部分から上方にメイン縦リブ４２Ｃが延びている。そのメイン縦リブ４２Ｃの上端は、矩形窓４０Ａの上辺部分と略同一の高さに位置している。また、枠形突条４１の上辺部分を構成する突条のうち長手方向の中央と前記メイン縦リブ４２Ｃと反対側の端部には、上方に向かって延びたサブ縦リブ４２Ａが設けられている。各サブ縦リブ４２Ａは、メイン縦リブ４２Ｃの上半分と同じ形状をなし、各サブ縦リブ４２Ａの上端は、矩形窓４０Ａの上辺部分と略同一の高さに位置している。さらに、枠形突条４１の下辺部分を構成する突条の下面には、長手方向の両端部と中央の３カ所に三角リブ４２Ｂが設けられている。
【００３０】
後側対向板４０のうち枠形突条４１の内側領域には、メイン縦リブ４２Ｃと反対側の端部にタグ抜止可撓片４４が設けられている。タグ抜止可撓片４４は、後側対向板４０にスリット４０Ｓを形成することで、後側対向板４０の一部を横方向に延びた片持ち梁状に切り離してなる。また、タグ抜止可撓片４４の先端縁からは、後方にタグ抜止突部４４Ａが突出している。そのタグ抜止突部４４Ａは、上下方向に延びた突条構造をなし、枠形突条４１の上下方向の幅の略１／２の長さになって枠形突条４１の上下方向における中央に配置されている。
【００３１】
後側対向板４０のうち枠形突条４１の内側領域には、本発明に係るアンテナ露出窓４０Ｂが貫通形成されている。アンテナ露出窓４０Ｂは、枠形突条４１の横方向の一端寄り位置から他端側のタグ抜止可撓片４４寄り位置まで延びた横長の長方形になっている。また、アンテナ露出窓４０Ｂの上下方向の幅は、枠形突条４１の上下方向の幅の略１／２になっていて、枠形突条４１の上下方向における中央に配置されている。
【００３２】
アンテナ露出窓４０Ｂの横方向の中央には環状保護壁４６が設けられている。環状保護壁４６は、アンテナ露出窓４０Ｂの上下の対向面に内接した円形リング状をなして、後側対向板４０に一体形成されている。
【００３３】
アンテナ露出窓４０Ｂの開口縁全体から後方に向けて開口突条４９が突出している。後側対向板４０からの開口突条４９の突出量は、枠形突条４１及びタグ抜止突部４４Ａの後側対向板４０からの突出量より小さくなっている。また、図７に示すように、開口突条４９の先端は、その開口突条４９の幅方向で先細り状になっている。なお、環状保護壁４６の後端面は、開口突条４９の後端面より僅かに前側に位置している。
【００３４】
図２に示すように、枠形突条４１の内側領域のうち開口突条４９の上側と下側とには、開口突条４９と枠形突条４１とを繋ぐように上下方向延びた連絡突条４８が１対ずつ備えられている。図示しないが、各連絡突条４８の先端も、開口突条４９と同様に幅方向で先細り状になっている。そして、各連絡突条４８の後端面は、開口突条４９の後端面と面一になっている。
【００３５】
後側対向板４０における枠形突条４１の内側領域のうち上縁部と下縁部とには、型抜孔４０Ｃが横並びに３つずつ形成されている。それら型抜孔４０Ｃは、横に細長く延びた矩形状をなし、上縁側の３つの型抜孔４０Ｃと、下縁側の３つの型抜孔４０Ｃは、上下方向で対称配置されている。そして、各型抜孔４０Ｃの後方側には、枠形突条４１の後端部から内側に張り出した横長のタグ係止片４３が対向配置されている。
【００３６】
なお、本実施形態では、本発明に係る「フローチングリブ」が、上記した開口突条４９と連絡突条４８とによって構成されている。また、本発明に係る「タグ側方位置決突部」は、上記した枠形突条４１における上辺部分及び下辺部分とメイン縦リブ４２Ｃ側の側辺部分、及び、タグ抜止突部４４Ａとによって構成されている。そして、それら「タグ側方位置決突部」が構成する部位と複数のタグ係止片４３とによって、本発明に係るタグ収容部３０Ｓ（図２参照）が構成されている。カードホルダー３０の構成に関する説明は以上である。
【００３７】
本実施形態のカードホルダー３０は、図５に示すように、例えば、コンテナ１０の外側面に取り付けられる。そのコンテナ１０は、上面開放の直方体状になっていて、その外側面の上端、上端寄り位置及び下端からそれぞれ上端フランジ１６、中間フランジ１５及び下端フランジ１４が側方に張り出している。また、コンテナ１０の外側面からは、上下方向に延びた複数の縦リブ１７も張り出している。そして、コンテナ１０の各側面の横方向における中央部に、縦リブ１７，１７と下端フランジ１４と中間フランジ１５とに四方を囲まれたホルダー固定部１０Ｈが設けられている。
【００３８】
各ホルダー固定部１０Ｈにおける下端フランジ１４には、カードホルダー３０の下面係止突起３２，３２（図３参照）を係止させるため１対のホルダー係合孔２２，２２が貫通形成されている。また、コンテナ１０の横方向の中央と両端部には、カードホルダー３０の連結ベース板３１を下端フランジ１４との間で上下方向から挟むためのホルダー中央係止突部２１及び１対のホルダー端部係止突部２０，２０が備えられている。各ホルダー端部係止突部２０は、縦リブ１７とコンテナ１０の外側面とに跨ったＬ字形状になっている。なお、コンテナ１０に対向配置された１対の外側面には、ホルダー固定部１０Ｈの上方に持ち手部１８が設けられている。
【００３９】
図１に示すように、タグ収容部３０Ｓに収容可能なＩＣタグ９０が示されている。ＩＣタグ９０は、ＲＦＩＤ（Ｒａｄｉｏ  Ｆｒｅｑｕｅｎｃｙ  Ｉｄｅｎｔｉｆｉｃａｔｉｏｎ）とも呼ばれ、情報と共に電力を無線で受け、それに対して情報を無線返信する。その無線の周波数帯域は、例えば、８６０〜９６０［Ｍｈｚ］のＵＨＦ帯域が使用されている。また、ＩＣタグ９０は、可撓性に富んだ四角形のフィルム回路基盤９１に、例えば、ＩＣチップ９２とワイヤーアンテナ９３とを実装して樹脂フィルムでラミネートしてなり、全体が横長のカード形状になっている。そのＩＣチップ９２は、フィルム回路基盤９１の前面の図心に配置され、ＩＣタグ９０全体から前方に僅かに突出している。ワイヤーアンテナ９３は、フィルム回路基盤９１の幅方向の中央寄り位置で矩形波状に折り曲げられて、フィルム回路基盤９１の長手方向に中心から両端寄り位置まで延びている。
【００４０】
図６（Ｂ）に示すように、カードホルダー３０は、前側対向板３５と後側対向板４０との間に印字カード９５を差し込んで保持することができる。印字カード９５は、例えば、生産管理用の所謂「カンバン」であって、ＩＣタグ９０より縦横が共に大きな長方形の紙製カードにコンテナ１０に収容される荷物の部品名、個数、ロットナンバー、バーコード等を印字してなる。
【００４１】
本実施形態のカードホルダー３０、コンテナ１０等の構成に関する説明は以上である。次に、カードホルダー３０の作用効果について説明する。カードホルダー３０を使用する際には、例えば、カードホルダー３０をコンテナ１０に取り付ける前にＩＣタグ９０をタグ収容部３０Ｓに収容する。そして、カードホルダー３０をコンテナ１０のホルダー固定部１０Ｈに取り付けた状態にして、印字カード９５をカードホルダー３０の前側対向板３５と後側対向板４０の間に差し込む。
【００４２】
具体的には、ＩＣタグ９０をタグ収容部３０Ｓに収容するには、図２の２点鎖線で示すように、ＩＣタグ９０を一端側から後側対向板４０とタグ係止片４３との間に挿入すればよい。すると、ＩＣタグ９０の一端側が後側対向板４０とタグ係止片４３との間に挟まれる一方、他端側がタグ抜止突部４４Ａに乗り上がった状態になって、ＩＣタグ９０及びタグ抜止可撓片４４が弾性変形する。そして、ＩＣタグ９０がタグ収容部３０Ｓにおける正規位置に収まると、ＩＣタグ９０及びタグ抜止可撓片４４が弾性変形から復元してＩＣタグ９０が枠形突条４１及びタグ抜止突部４４Ａにて全側方から位置決めされ、タグ収容部３０Ｓ内に保持される（図４（Ｂ）参照）。すると、図４（Ａ）に示すように、ＩＣタグ９０のワイヤーアンテナ９３が、前側対向板３５及び後側対向板４０のアンテナ露出窓３５Ａ，４０Ｂを介して前方に露出した状態になる。また、アンテナ露出窓４０Ｂの内側に備えた環状保護壁４６は、ＩＣタグ９０のうちＩＣチップ９２の周辺部分に突き合わされた状態になる。
【００４３】
次いで、カードホルダー３０を、例えば、図６（Ａ）に示すように、コンテナ１０のうち持ち手部１８の下方のホルダー固定部１０Ｈに取り付ける。そのためには、連結ベース板３１の両端部をホルダー端部係止突部２０，２０と下端フランジ１４との間に挿入する。すると、その過程で下面係止突起３２の傾斜面３２Ｂ（図３参照）の案内により、下面係止突起３２が下端フランジ１４の上に載り上がり、連結ベース板３１の中央部が上方に膨らむように弾性変形すると共に、後側対向板４０の上端部がコンテナ１０の外側面に当接して後側対向板４０全体及びヒンジ部４０Ｈ（図２参照）が弾性変形する。そして、カードホルダー３０を更にコンテナ１０の外側面側に押すと、連結ベース板３１が弾性変形状態から復元して、図７に示すように、下面係止突起３２がホルダー係合孔２２に突入し、下面係止突起３２の係止面３２Ａがホルダー係合孔２２の内面に係止してカードホルダー３０がホルダー固定部１０Ｈに固定される。このとき、後側対向板４０の上端部は、コンテナ１０の外側面に当接した状態に保持され、後側対向板４０全体及びヒンジ部４０Ｈの弾発力によって、カードホルダー３０とホルダー固定部１０Ｈとの間のガタが排除された状態に維持される。また、カードホルダー３０の枠形突条４１の後端面全体がコンテナ１０の外側面に密着し、ＩＣタグ９０が閉ざされた空間に保持された状態になるので、ＩＣタグ９０がカードホルダー３０から脱落することを確実に防ぐことができる。
【００４４】
次いで、図６（Ｂ）に示すように、印字カード９５をカードホルダー３０の前側対向板３５と後側対向板４０との間に差し込む。すると、印字カード９５の下端部が連結ベース板３１に当接して上下で位置決めされ、印字カード９５の両横端部が、コンテナ１０の縦リブ１７，１７の内面に突き合わされて、印字カード９５の横方向の移動が規制された状態で、印字カード９５がカードホルダー３０に保持される。また、印字カード９５の上端部は、前側対向板３５から上方に突出して露出し、印字カード９５の下端部は、前側対向板３５のアンテナ露出窓３５Ａを介して前方に露出した状態になり、印字カード９５に印字された情報の一部が視認可能になる。また、印字カード９５を保持する前はアンテナ露出窓３５Ａ，４０Ｂを介して前方に露出していたＩＣタグ９０が、印字カード９５によって覆われた状態になる。
【００４５】
さて、コンテナ１０にて荷物を搬送する際に、ＩＣタグ９０及び印字カード９５は以下のように取り扱われる。コンテナ１０に荷物を収容する前は、ＩＣタグ９０のみをカードホルダー３０にてコンテナ１０に取り付けた状態にする。また、そのＩＣタグ９０には、例えば、コンテナ１０の所有者である会社に係る情報、そのコンテナ１０の使用開始年月日等を、ＲＦＩＤリーダー／ライターによって書き込んでおく。ここで、カードホルダー３０には、前側対向板３５及び後側対向板４０のうちＩＣタグ９０のワイヤーアンテナ９３との対向位置に、アンテナ露出窓３５Ａ，４０Ｂが形成されているので、カードホルダー３０による無線妨害が抑えられ、ＩＣタグ９０にて良好な無線通信を行うことができる。また、ＩＣタグ９０に水が付着してもアンテナ露出窓３５Ａ，４０Ｂにより速やかにＩＣタグ９０を乾燥させることができ、無線妨害を回避することができる。
【００４６】
また、連絡突条４８及び開口突条４９によって、ＩＣタグ９０が後側対向板４０から浮いた状態に保持され、さらに、タグ係止片４３によってコンテナ１０の外側面からもＩＣタグ９０が浮いた状態に保持される。ここで、仮にＩＣタグ９０全体が後側対向板４０及びコンテナ１０の外側面に当接していると、毛細管現象によってＩＣタグと後側対向板及びコンテナ１０との隙間の広い範囲に水が溜まり、無線通信が妨げられるという事態が生じる。しかしながら、本実施形態の構成によれば、ＩＣタグ９０全体が後側対向板４０及びコンテナ１０の外側面から浮いた状態に保持されて水はけがよくなるので、上記事態を回避することができ、良好な無線通信が可能になる。
【００４７】
次いで、コンテナ１０に荷物を収容したら、その荷物に係る情報を印字した印字カード９５をカードホルダー３０に保持させる。このとき、ＲＦＩＤリーダー／ライターによりＩＣタグ９０にも荷物に関する同じ情報を書き込んでもよい。また、本実施形態の印字カード９５は、紙製であるので無線波が容易に貫通し、印字カード９５にてＩＣタグ９０の前面を覆った状態でも、ＩＣタグ９０にて良好な無線通信を行うことができる。仮に、印字カード９５が樹脂製であったとしても、カードホルダー３０の後側対向板４０が、ＩＣタグ９０の前面と印字カード９５との密着を防いでいるので、樹脂製の印字カード９５による無線妨害が抑えられ、良好な無線通信を行うことができる。なお、印字カード９５をカードホルダー３０に保持させた状態で、ＩＣタグ９０による無線通信が不可能になった場合には、印字カード９５をカードホルダー３０から抜いた状態で、ＩＣタグ９０による無線通信を行えばよい。
【００４８】
ところで、搬送中にコンテナ１０のカードホルダー３０に異物が衝突する場合がある。しかしながら、本実施形態のカードホルダー３０では、前側対向板３５及び後側対向板４０がＩＣタグ９０の前方を覆っているので、異物の衝突からＩＣタグ９０を保護することができる。しかも、アンテナ露出窓４０Ｂの内側に備えた環状保護壁４６が、ＩＣタグ９０のうちＩＣチップ９２の周辺部分に突き合わされているので、その環状保護壁４６により異物がＩＣチップ９２に当接することを確実に防ぐことができると共に、環状保護壁４６自体がＩＣチップに当接することも防がれる。
【００４９】
コンテナ１０を収容した荷物の搬入先では、作業者は、印字カード９５に印字された情報によりコンテナ１０に収容された荷物の内容を容易に知ることができる。また、その荷物をコンピュータで管理する場合には、ＲＦＩＤリーダー／ライターによってＩＣタグ９０から荷物に係る情報を受信してコンピュータに取り込めばよい。また、印字カード９５に印字されたバーコードから荷物に係る情報をコンピュータに取り込んでもよい。なお、先作業者がコンテナ１０から荷物を取り出したら、カードホルダー３０から印字カード９５を抜けばよい。ここで、ＩＣタグ９０は、カードホルダー３０をコンテナ１０から外さない限りタグ収容部３０Ｓから取り出すことができないので、印字カード９５と共に誤ってＩＣタグ９０をカードホルダー３０から取り外してしまう事態が防がれる。
【００５０】
以上、説明したように本実施形態のカードホルダー３０によれば、そのカードホルダー３０による無線波伝搬の妨害が抑えられ、ＩＣタグ９０にて良好な無線通信を行うことができる。また、本実施形態のカードホルダー３０では、印字カード９５を保持する部分（前側対向板３５及び後側対向板４０）と、ＩＣタグ９０を保持する部分（３０Ｓ）とが、共にコンテナ１０の外側面に重ねて配置される構造になっているので、従来より上下方向でコンパクトになる。これにより、高さの低いコンテナ１０にもカードホルダー３０を取り付けることができる。
【００５１】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５２】
（１）前記実施形態のカードホルダー３０は、コンテナ１０に固定されていたが、図８に示すように、フォークリフト用のパレット８０の外側面に例えばホルダー固定部８０Ｈを設けて、そこに前記実施形態で説明したカードホルダー３０を固定してもよい。
【００５３】
（２）前記実施形態のカードホルダー３０は、その下端部（連結ベース板３１）がコンテナ１０に固定されていたが、例えば、カードホルダーの上端部（例えば、後側対向板の上端部）をコンテナ等に固定する構成としてもよい。
【００５４】
（３）前記実施形態では、後側対向板４０の後面にタグ収容部３０Ｓが配置されていたが、後側対向板の前面側にタグ収容部を配置した構成にしてもよい。
【符号の説明】
【００５５】
１０    コンテナ
１０Ｈ  ホルダー固定部
３０    カードホルダー
３０Ｓ  タグ収容部
３１    連結ベース板（下端連結壁）
３５    前側対向板
３５Ａ，４０Ｂ    アンテナ露出窓
４０    後側対向板
４１    枠形突条（タグ側方位置決突部）
４３    タグ係止片
４４    タグ抜止可撓片
４４Ａ    タグ抜止突部（タグ側方位置決突部）
４６    環状保護壁
４８    連絡突条（フローチングリブ）
４９    開口突条（フローチングリブ）
９０    ＩＣタグ
９３    ワイヤーアンテナ（アンテナ部）
９５    印字カード
【図１】
2010163186.tif 000003
【図２】
2010163186.tif 000004
【図３】
2010163186.tif 000005
【図４】
2010163186.tif 000006
【図５】
2010163186.tif 000007
【図６】
2010163186.tif 000008
【図７】
2010163186.tif 000009
【図８】
2010163186.tif 000010